(57)【要約】【課題】ＩＣＴ、ＦＣＴを連動させることで、ＩＣＴからＦＣＴまでをより自動化する。【解決手段】プリント基板の電子部品の特性を検査するＩＣＴ用検査機器２００と、ＩＣＴ用検査機器２００による検査が終了したプリント基板の回路動作の検査を実行するＦＣＴ用検査機器４００とに接続される検査装置１００において、プリント基板の捨て基板に実装された機種識別電子部品からプリント基板の機種を判別する機種判別部１１０と、機種データを記憶する機種記憶部１５０と、機種データをＩＣＴ用検査機器２００に送信するとともに、ＩＣＴ用検査機器２００による検査の開始を要求するＩＣＴ実行部１２０と、ＩＣＴ用検査機器２００による検査が終了すると、機種データをＦＣＴ用検査機器４００に送信するとともに、ＦＣＴ用検査機器４００による検査の開始を要求するＦＣＴ実行部１４０とを備える。【選択図】図１
2014222188.tif 000002
【特許請求の範囲】
【請求項１】
電子部品が実装された回路基板を検査する検査装置であって、前記回路基板に実装された前記電子部品の特性の検査を実行する部品特性検査機器と、前記部品特性検査機器による検査が終了した前記回路基板の回路動作の検査を実行する回路動作検査機器とに接続される検査装置において、
前記回路基板は、前記回路基板の機種を示す機種情報が記憶された機種識別部品が実装される捨て基板を備え、
前記機種識別部品に記憶された前記機種情報を読み込み、読み込んだ前記機種情報により示される機種を判別する機種判別部と、
前記機種判別部により判別された前記機種を記憶装置に記憶する機種記憶部と、
前記機種記憶部により記憶された前記機種を前記部品特性検査機器に送信するとともに、前記部品特性検査機器による検査の開始を要求する部品特性検査実行部と、
前記部品特性検査機器による検査が終了すると、前記機種記憶部により記憶された前記機種を前記回路動作検査機器に送信するとともに、前記回路動作検査機器による検査の開始を要求する回路動作検査実行部と
を備えることを特徴とする検査装置。
【請求項２】
前記捨て基板は、前記回路動作検査機器による検査の後に破棄されることを特徴とする請求項１に記載の検査装置。
【請求項３】
前記回路基板は、搬送される方向に長く延びた形状であり、
前記捨て基板は、前記回路基板の短手方向両端部のいずれか一方の端部に設けられることを特徴とする請求項１または２に記載の検査装置。
【請求項４】
前記回路基板は、搬送される方向に長く延びた形状であり、
前記捨て基板は、前記回路基板の搬送される方向の先端部に設けられることを特徴とする請求項１または２に記載の検査装置。
【請求項５】
電子部品が実装された回路基板を検査する検査装置であって、前記回路基板に実装された前記電子部品の特性の検査を実行する部品特性検査機器と、前記部品特性検査機器による検査が終了した前記回路基板の回路動作の検査を実行する回路動作検査機器とに接続される検査装置の検査方法において、
前記回路基板の有する捨て基板に実装される機種識別部品であって前記回路基板の機種を示す機種情報が記憶された機種識別部品に記憶された前記機種情報を読み込み、読み込んだ前記機種情報により示される機種を判別する機種判別工程と、
前記機種判別工程により判別された前記機種を記憶装置に記憶する機種記憶工程と、
前記機種記憶工程により記憶された前記機種を前記部品特性検査機器に送信するとともに、前記部品特性検査機器による検査の開始を要求する部品特性検査実行工程と、
前記部品特性検査機器による検査が終了すると、前記機種記憶工程により記憶された前記機種を前記回路動作検査機器に送信するとともに、前記回路動作検査機器による検査の開始を要求する回路動作検査実行工程と
を備えることを特徴とする検査方法。
【請求項６】
電子部品が実装された回路基板を検査する検査装置であって、前記回路基板に実装された前記電子部品の特性の検査を実行する部品特性検査機器と、前記部品特性検査機器による検査が終了した前記回路基板の回路動作の検査を実行する回路動作検査機器とに接続される検査装置の検査プログラムにおいて、
前記回路基板の有する捨て基板に実装される機種識別部品であって前記回路基板の機種を示す機種情報が記憶された機種識別部品に記憶された前記機種情報を読み込み、読み込んだ前記機種情報により示される機種を判別する機種判別工程と、
前記機種判別工程により判別された前記機種を記憶装置に記憶する機種記憶工程と、
前記機種記憶工程により記憶された前記機種を前記部品特性検査機器に送信するとともに、前記部品特性検査機器による検査の開始を要求する部品特性検査実行工程と、
前記部品特性検査機器による検査が終了すると、前記機種記憶工程により記憶された前記機種を前記回路動作検査機器に送信するとともに、前記回路動作検査機器による検査の開始を要求する回路動作検査実行工程とをコンピュータである検査装置に実行させることを特徴とする検査プログラム。
【請求項７】
電子部品が実装された回路基板を検査する検査システムにおいて、
前記回路基板に実装された前記電子部品の特性の検査を実行する部品特性検査機器と、
前記部品特性検査機器による検査が終了した前記回路基板の回路動作の検査を実行する回路動作検査機器と、
前記部品特性検査機器と前記回路動作検査機器とに接続される検査装置とを備え、
前記回路基板は、前記回路基板の機種を示す機種情報が記憶された機種識別部品が実装される捨て基板を備え、
前記検査装置は、
前記機種識別部品に記憶された前記機種情報を読み込み、読み込んだ前記機種情報により示される機種を判別する機種判別部と、
前記機種判別部により判別された前記機種を記憶装置に記憶する機種記憶部と、
前記機種記憶部により記憶された前記機種を前記部品特性検査機器に送信するとともに、前記部品特性検査機器による検査の開始を要求する部品特性検査実行部と、
前記部品特性検査機器による検査が終了すると、前記機種記憶部により記憶された前記機種を前記回路動作検査機器に送信するとともに、前記回路動作検査機器による検査の開始を要求する回路動作検査実行部と
を備えることを特徴とする検査システム。
【発明の詳細な説明】
【技術分野】
【０００１】
本発明は、検査装置、検査方法、検査プログラム及び検査システムに関する。特に、電子回路基板の検査を実行する検査装置、検査方法、検査プログラム及び検査システムに関する。
【背景技術】
【０００２】
電子回路基板の生産工程の中には、生産ラインでの組立工程において、あらかじめ基板上に設けられた多数の金属部にピンを当てることにより、実装された各部品（例えば、抵抗、インダクタンス及びキャパシタンス）が所要の特性を有しているかを自動で確認するＩＣＴ（インサーキットテスト）等がある。
【０００３】
また、電子回路基板に電源を投入し、実動作をさせることで、所要の入出力特性を有しているか、また有していない場合、基板上にあらかじめ設けられた、例えばボリューム抵抗などを調整することで入出力を所要の特性に調整するＦＣＴ（ファンクションテスト）等がある。
【０００４】
通常、ＩＣＴ、ＦＣＴにおいて検査対象機種を切り替える際には、例えば、ＰＣ（Ｐｅｒｓｏｎａｌ・Ｃｏｍｐｕｔｅｒ）などの制御端末での手動操作で機種の切換を行っている。この場合、切り替える機種数が多ければ多いほど人為的ミスにつながる可能性が高くなってしまう。
例えば、特許文献１では、回路の全部品から機種を判別し、検査を行うという装置が開示されている。
【先行技術文献】
【特許文献】
【０００５】
【特許文献１】特開昭６１−２８８１７８号公報
【発明の概要】
【発明が解決しようとする課題】
【０００６】
特許文献１に開示されている装置では、回路内の全部品の中で１つでも所要の特性を示さないものがあった場合、機種の特定が困難であるという課題がある。
本発明は、ＩＣＴでの機種の判別を簡易的に行うとともに、ＩＣＴ、ＦＣＴを連動させることで、ＩＣＴからＦＣＴまでをより自動化することを目的とする。
【課題を解決するための手段】
【０００７】
本発明に係る検査装置は、電子部品が実装された回路基板を検査する検査装置であって、前記回路基板に実装された前記電子部品の特性の検査を実行する部品特性検査機器と、前記部品特性検査機器による検査が終了した前記回路基板の回路動作の検査を実行する回路動作検査機器とに接続される検査装置において、前記回路基板は、前記回路基板の機種を示す機種情報が記憶された機種識別部品が実装される捨て基板を備え、前記機種識別部品に記憶された前記機種情報を読み込み、読み込んだ前記機種情報により示される機種を判別する機種判別部と、前記機種判別部により判別された前記機種を記憶装置に記憶する機種記憶部と、前記機種記憶部により記憶された前記機種を前記部品特性検査機器に送信するとともに、前記部品特性検査機器による検査の開始を要求する部品特性検査実行部と、前記部品特性検査機器による検査が終了すると、前記機種記憶部により記憶された前記機種を前記回路動作検査機器に送信するとともに、前記回路動作検査機器による検査の開始を要求する回路動作検査実行部とを備えることを特徴とする。
【発明の効果】
【０００８】
本発明に係る検査装置によれば、回路基板の機種の判別を簡易的に行うとともに、部品特性検査機器と回路動作検査機器とを、機種記憶部に記憶された機種により自動的に連動させることができるので、人為的な誤りを削減することができるという効果を奏する。
【図面の簡単な説明】
【０００９】
【図１】実施の形態１に係る検査システム５００のブロック構成の一例を示す図である。
【図２】実施の形態１に係る検査装置１００の検査対象であるプリント基板１の正面図である。
【図３】実施の形態１の検査装置１００の検査方法を示すフローチャートである。
【図４】実施の形態２に係る検査装置１００の検査対象であるプリント基板１ａの正面図である。
【図５】実施の形態１〜２に係る検査装置１００のハードウェア構成の一例を示す図である。
【発明を実施するための形態】
【００１０】
以下の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１１】
実施の形態１．
図１は、本実施の形態に係る検査システム５００のブロック構成の一例を示す図である。
検査システム５００は、検査装置１００、ＩＣＴ用検査機器２００、搬送用機器３００、ＦＣＴ用検査機器４００を備える。
検査装置１００は、機種判別部１１０、ＩＣＴ実行部１２０（部品特性検査実行部）、搬送実行部１３０、ＦＣＴ実行部１４０（回路動作検査実行部）、機種記憶部１５０を備える。
また、検査装置１００は、ＩＣＴ用検査機器２００、搬送用機器３００、ＦＣＴ用検査機器４００と接続され、これらの機器を用いて検査方法を実現する。
【００１２】
図２は、本実施の形態に係る検査装置１００の検査対象であるプリント基板１（回路基板）の正面図である。
プリント基板１は、電子部品が実装される主基板２と、生産工程でプリント基板１を搬送する為に使用される搬送部３とを備える。プリント基板１は、搬送方向（長手方向）に長く延びた形状であり、例えば、長方形である。
主基板２は、後に多様な機器内に組まれて使用されるものであり、主基板２の基板サイズにより、１シートで１台になるもの、後に分割され数台になるものがある。図２では主基板２が６台に分割されるプリント基板１を模擬しているが、この分割台数は何台でもよい。
【００１３】
搬送部３は、主基板２に電子部品の実装後、プリント基板１がＩＣＴ用検査機器２００によるＩＣＴ及びＦＣＴ用検査機器４００によるＦＣＴを経て、主基板２が分割される際に切り捨てられる。搬送部３は、例えば、プリント基板１の短手方向両端部のそれぞれに形成された長手方向に延びた帯状の基板である。
【００１４】
ＩＣＴ用検査機器２００は、主基板２について、所定の電子部品が所定の位置に実装されているかをチェックする検査器である。以下、ＩＣＴ用検査機器２００による検査をＩＣＴと呼ぶ。ＩＣＴ用検査機器２００は、プリント基板１（主基板２）に実装された電子部品の特性の検査を実行する部品特性検査機器である。
ＦＣＴ用検査機器４００は、ＩＣＴ用検査機器２００にて主基板２に実装された電子部品を検査した後、検査に合格した主基板２を動作させ、機能、性能をチェックする検査器である。以下、ＦＣＴ用検査機器４００による検査をＦＣＴと呼ぶ。ＦＣＴ用検査機器４００は、ＩＣＴ用検査機器２００による検査が終了したプリント基板１（主基板２）の回路動作の検査を実行する回路動作検査機器である。
【００１５】
搬送部３は、主基板２の機種を判別するための機種判別電子部品４と、機種判別電子部品４をはんだ付けするための金属部５と、機種判別電子部品４を検出する為のピンを当てるＩＣＴランド６とを備えている。
機種判別電子部品４と、金属部５と、ＩＣＴランド６、金属パターン７とを機種識別部９とする。
機種識別部９は、プリント基板１の短手方向両端部の搬送部３のうちいずれか一方の搬送部３（捨て基板）に実装される。
【００１６】
機種判別電子部品４（機種識別部品）は、自プリント基板１（主基板２）の機種を示す機種情報が記憶されている。機種判別電子部品４は、その定数および特性（機種情報）を読み取ることで、主基板２の型名、型番等を識別することができる電子部品である。
金属部５とＩＣＴランド６とは、金属パターン７でつながっており、電気的に接続されている。ＩＣＴにおいて、ＩＣＴランド６に検出用のピンを当てることで、機種判別電子部品４の定数および特性を読み取ることができる。
【００１７】
図３は、本実施の形態の検査装置１００の検査方法を示すフローチャートである。
図３に示すフローチャートでは、プリント基板１の生産工程において、プリント基板１に電子部品が実装された後からの検査工程について記載している。プリント基板１への電子部品の実装が終了し、検査工程に入ると、プリント基板１がＩＣＴ用検査機器２００に搬入される。
【００１８】
＜機種判別工程＞
Ｓ１００において、機種判別部１１０は、ＩＣＴ用検査機器２００により、搬送部３に実装されている機種判別電子部品４の定数および特性（機種情報）を読み取る。機種判別電子部品４の定数および特性は、上述したように、プリント基板１のＩＣＴランド６に検出用のピンを当てることにより読み取られる。
機種判別部１１０は、読み取った機種判別電子部品４の定数および特性に基づいて、その定数にあらかじめ設定されている機種を判別し、その機種を示す機種データを機種記憶部１５０に記憶する。
【００１９】
＜ＩＣＴ実施工程＞
Ｓ１０１において、ＩＣＴ実行部１２０は、ＩＣＴ用検査機器２００に対し、機種記憶部１５０に記憶された機種データを送信するとともに、ＩＣＴの開始を要求する。ＩＣＴ実行部１２０による機種データの送信がＩＣＴ開始の要求であるとしてもよい。
【００２０】
ＩＣＴ用検査機器２００は、ＩＣＴ実行部１２０より送信された機種情報を受信し、受信した機種情報により示される機種に対応するプログラム（部品情報）に従い、プリント基板１に実装されている全ての電子部品が所要の特性を有しているかを確認する。
全ての電子部品が所要の特性を有している場合（Ｓ１０２においてＹＥＳ）、処理はＳ１０４に進む。
確認した電子部品について不良を検出した場合（Ｓ１０２においてＮＯ）、端末状態、基板の接触状態等を確認し（Ｓ１０３）、再度ＩＣＴを実施する（Ｓ１０１に戻る）。
【００２１】
＜基板移動工程＞
Ｓ１０４において、ＩＣＴ実行部１２０は、搬送用機器３００を用いて、プリント基板１をＦＣＴ用検査機器４００に搬送する。ＩＣＴ実行部１２０は、必須ではなく、ＩＣＴが終了すると、搬送用機器３００により自動的にプリント基板１がＦＣＴ用検査機器４００に搬送されるとしてもよい。
【００２２】
＜ＦＣＴ実施工程＞
Ｓ１０４において、ＦＣＴ実行部１４０は、例えば、プリント基板１がＦＣＴ用検査機器４００に搬送されるとＩＣＴ用検査機器２００による検査が終了したと判断する。あるいは、ＩＣＴ実行部１２０からＩＣＴの終了を受信することにしてもよい。
ＦＣＴ実行部１４０は、ＩＣＴの終了を検知すると、ＦＣＴ用検査機器４００に対し、機種記憶部１５０に記憶された機種データを送信するとともに、ＦＣＴの開始を要求する。ＦＣＴ実行部１４０による機種データの送信がＦＣＴ開始の要求であるとしてもよい。
【００２３】
ＦＣＴ用検査機器４００は、ＦＣＴ実行部１４０より送信された機種データを受信し、受信した機種データにより示される機種に応じた設定情報を読み出す。設定情報は、機種毎に予め定められた基板の入出力特性であり、予め記憶装置に記憶されているものとする。
ＦＣＴ用検査機器４００は、読み出した設定情報と、主基板２の入出力特性と比較し、主基板２に実装されるボリューム抵抗などを調整して、設定情報に設定された入出力特性が出るようにプリント基板１の主基板２を調整する。
【００２４】
プリント基板１が所要の入出力特性を有していない場合（Ｓ１０６においてＮＯ）、端末状態、基板の接触状態等を確認し（Ｓ１０７）、再度ＦＣＴを実施する（Ｓ１０５に戻る）。
プリント基板１が所要の入出力特性を有している場合（Ｓ１０６においてＹＥＳ）、検査処理は終了する。
【００２５】
以上で、検査装置１００の検査処理（検査方法）についての説明を終わる。
【００２６】
以上のように、本実施の形態に係る検査装置１００によれば、ＩＣＴの機種判別結果に連動してＦＣＴを実施することができるので、手動によるＦＣＴの端末操作を省略することができる。これにより、人為的ミスの削減の効果を期待できる。
【００２７】
また、ＩＣＴからＦＣＴへの検査工程において機種の切換を自動的に行うことで、切換にかかる時間を短縮することができる。
【００２８】
実施の形態２．
本実施の形態では、実施の形態１と異なる点について説明する。
図４は、本実施の形態に係る検査装置１００の検査対象であるプリント基板１ａの正面図である。
本実施の形態に係るプリント基板１ａと、実施の形態１のプリント基板１（図２参照）とは、機種識別部９（機種判別電子部品４、金属部５、ＩＣＴランド６、金属パターン７）の位置が異なる。
図４において、図２と同様の機能を有する構成部については、同一の符号を付し、その説明を省略する。
【００２９】
実施の形態１のプリント基板１では搬送部３に機種識別部９（機種判別電子部品４、金属部５、ＩＣＴランド６、金属パターン７）を設けていたが、生産ラインによっては、搬送用のレールの形状により、搬送部３が覆われている場合がある。
そこで、本実施の形態に係るプリント基板１ａでは、搬送部３とは別に、ＩＣＴ、ＦＣＴの搬送方向の先端に機種判別用捨て基板８を設ける。この機種判別用捨て基板８に、機種識別部９（機種判別電子部品４、金属部５、ＩＣＴランド６、金属パターン７）を設けることにより、プリント基板１ａについて実施の形態１と同様の工程を行うことができる。
機種判別用捨て基板８は、搬送部３と同様に、主基板２に電子部品を実装後、プリント基板１ａがＩＣＴ及びＦＣＴを経て主基板２が分割される際に切り捨てられる。
【００３０】
図４に示すように、機種判別用捨て基板８は、例えば、プリント基板１の搬送方向先端部に形成された短手方向に延びた帯状の基板である。機種判別用捨て基板８は、プリント基板１の搬送方向後端部に形成されていてもよく、搬送方向後端部に短手方向に延びた帯状の基板であってもよい。
【００３１】
本実施の形態において、機種判別用捨て基板８の位置以外は実施の形態１と同様の工程のため、記載を省略する。
【００３２】
以上のように、本実施の形態に係るプリント基板１ａによれば、搬送部３が覆われる形状の搬送用のレールの場合であっても、機種識別部９を実装することができる。
【００３３】
図５は、実施の形態１〜２に係る検査装置１００のハードウェア構成の一例を示す図である。
最後に、実施の形態１〜２に示した検査装置１００のハードウェア構成例について図５を参照して説明する。
検査装置１００はコンピュータであり、各要素をプログラムで実現することができる。
検査装置１００のハードウェア構成としては、バスに、演算装置９０１、外部記憶装置９０２、主記憶装置９０３、通信装置９０４、入出力装置９０５が接続されている。
【００３４】
演算装置９０１は、プログラムを実行するＣＰＵ（Ｃｅｎｔｒａｌ・Ｐｒｏｃｅｓｓｉｎｇ・Ｕｎｉｔ）である。
外部記憶装置９０２は、例えばＲＯＭ（Ｒｅａｄ・Ｏｎｌｙ・Ｍｅｍｏｒｙ）やフラッシュメモリ、ハードディスク装置である。
主記憶装置９０３は、ＲＡＭ（Ｒａｎｄｏｍ・Ａｃｃｅｓｓ・Ｍｅｍｏｒｙ）である。
通信装置９０４は、例えば通信ボード等であり、ＬＡＮ（Ｌｏｃａｌ・Ａｒｅａ・Ｎｅｔｗｏｒｋ）等に接続されている。通信装置９０４は、ＬＡＮに限らず、ＩＰ−ＶＰＮ（Ｉｎｔｅｒｎｅｔ・Ｐｒｏｔｏｃｏｌ・Ｖｉｒｔｕａｌ・Ｐｒｉｖａｔｅ・Ｎｅｔｗｏｒｋ）、広域ＬＡＮ、ＡＴＭ（Ａｓｙｎｃｈｒｏｎｏｕｓ・Ｔｒａｎｓｆｅｒ・Ｍｏｄｅ）ネットワークといったＷＡＮ（Ｗｉｄｅ・Ａｒｅａ・Ｎｅｔｗｏｒｋ）、あるいは、インターネットに接続されていても構わない。ＬＡＮ、ＷＡＮ、インターネットは、ネットワークの一例である。
入出力装置９０５は、例えばマウス、キーボード、ディスプレイ装置等である。マウスの代わりに、タッチパネル、タッチパッド、トラックボール、ペンタブレット、あるいは、その他のポインティングデバイスが用いられてもよい。
【００３５】
プログラムは、通常は外部記憶装置９０２に記憶されており、主記憶装置９０３にロードされた状態で、順次演算装置９０１に読み込まれ、実行される。
プログラムは、図１に示す「〜部」として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、図１に示す「〜部」の機能を実現するプログラムを実行する。
また、アプリケーションプログラムも外部記憶装置９０２に記憶されており、主記憶装置９０３にロードされた状態で、順次演算装置９０１により実行される。
また、実施の形態１〜２の説明において、「〜の判断」、「〜の判定」、「〜の抽出」、「〜の検知」、「〜の設定」、「〜の登録」、「〜の選択」、「〜の生成」、「〜の入力」、「〜の出力」等として説明している処理の結果を示す情報やデータや信号値や変数値が主記憶装置９０３にファイルとして記憶されている。
【００３６】
なお、図５の構成は、あくまでも検査装置１００のハードウェア構成の一例を示すものであり、検査装置１００のハードウェア構成は図５に記載の構成に限らず、他の構成であってもよい。なお、本発明は、上記の実施の形態に限定されるものではなく、必要に応じて種々の変更が可能である。
【符号の説明】
【００３７】
１，１ａ  プリント基板、２  主基板、３  搬送部、４  機種判別電子部品、５  金属部、６  ＩＣＴランド、７  金属パターン、８  機種判別用捨て基板、９  機種識別部、１００  検査装置、１１０  機種判別部、１２０  ＩＣＴ実行部、１３０  搬送実行部、１４０  ＦＣＴ実行部、１５０  機種記憶部、２００  ＩＣＴ用検査機器、３００  搬送用機器、４００  ＦＣＴ用検査機器、５００  検査システム、９０１  演算装置、９０２  外部記憶装置、９０３  主記憶装置、９０４  通信装置、９０５  入出力装置。
【図１】
2014222188.tif 000003
【図２】
2014222188.tif 000004
【図３】
2014222188.tif 000005
【図４】
2014222188.tif 000006
【図５】
2014222188.tif 000007